(57)【特許請求の範囲】
【請求項１】
デンタルツールの連続回転を駆動するためのデンタルハンドピースであって、上記ハンドピースは、該ハンドピースの縦方向の孔で回転するために設置され、主要なシャフト及び共軸で、伝達できる最大トルクを制限するトルクリミッタ手段により連続して共に連結され、作業中に使用者がアクセス可能な、前記伝達できる最大トルクを調節するための手段を伴って提供された２次シャフトから構成されるドライブシャフトを含み、前記トルクリミッタ手段が、
−前記主要なシャフト及び２次シャフトからなるシャフトのペアの第一シャフトと共に回転することを強要される、共軸の環状の外部表面を有する雄型カップリング部分と、
−前記主要なシャフト及び前記２次シャフトからなるシャフトのペアの第二シャフトと共に回転することを強要される、前記雄型カップリング部分の前記共軸の環状の外部表面と重なる共軸の環状の内部表面を有する雌型カップリング部分と、
−前記雄型及び雌型カップリング部分からなるカップリング部分のペアの第一カップリング部分の前記共軸の環状表面に環状に分配される一連のカップリング孔と、
−前記雄型及び雌型カップリング部分からなるカップリング部分のペアの第二カップリング部分の横断経路で放射状にスライドするために設置されて、前記横断径路でガイドされ続ける間に前記カップリング孔に部分的に噛み合わせるために、前記雄型及び雌型カップリング部分を含むカップリング部分のペアの前記第１カップリング部分の前記共軸の環状表面へばね手段によってばね上げされる、平行な回転軸を伴う少なくとも一つのロータリーカップリングメンバーと、
作業中に使用者がアクセスできない、前記伝達できる最大トルクを調節するための手段と、を含み、
−前記カップリング孔は、円弧形状の断面を伴う縦方向の溝で、深さが縦軸に添って変化可能であり、
−使用者がアクセス可能な、相対的な縦の位置の調節手段は、前記雌型カップリング部分での前記雄型カップリング部分の相対的な縦の位置を調節するために提供され、
前記ロータリーカップリングメンバーは、前記伝達できる最大トルクを決定する、選択された相対的な縦の位置に応じて、前記カップリング孔のより深い部分若しくはより浅い部分で噛み合う、
ことを特徴とするデンタルハンドピース。
【請求項２】
前記雄型及び雌型カップリング部分間の前記ロータリーカップリングメンバーの前記放射状の力を均一化する、縦軸周辺に規則的に分配されるそれぞれの横断径路で放射状にスライドして設置される少なくとも二つのロータリーカップリングメンバーを含むことを特徴とする、請求項１に記載のデンタルハンドピース。
【請求項３】
前記ロータリーカップリングメンバーが、カップリングボールであることを特徴とする請求項１に記載のデンタルハンドピース。
【請求項４】
前記ロータリーカップリングメンバーが前記雄型カップリング部分でのそれぞれの横断径路で放射状にスライドするように設置され、前記カップリング孔が前記雌型カップリング部分の前記共軸の環状表面上に環状に分配されることを特徴とする請求項１に記載のデンタルハンドピース。
【請求項５】
前記ロータリーカップリングメンバーをばね上げするばね手段の力を調節するための手段を含むことを特徴とする請求項１に記載のデンタルハンドピース。
【請求項６】
前記横断径路が放射状方向に配置されることを特徴とする請求項１に記載のデンタルハンドピース。
【請求項７】
前記横断径路が放射状方向に対して傾斜して配置されることを特徴とする請求項１に記載のデンタルハンドピース。
【請求項８】
−前記雄型カップリング部分が前記主要なシャフトの末端によって構成され、
−前記雌型カップリング部分が、前記主要なシャフト及び前記２次シャフトの隣接する末端に重なるように設置されたカップリングリングであり、回転を防止する手段により前記２次シャフトに連結されて、
−前記主要なシャフトの末端は、カップリングボールをガイドするための横断径路を含み、
−前記主要なシャフトの末端は、前記横断径路が通じている軸孔を含み、
−ベアリング部分は、前記軸孔で軸方向にスライドするように設置され、前記カップリングボールを放射状に外へ促すために前記カップリングボールと接触するフラストコニカル部分を有し、
−圧縮ばねは、前記ベアリングメンバーと自身が機能的に前記軸孔のねじ山形状セクションに噛み合う調節ねじとの間で軸方向に噛み合う、
ことを特徴とする請求項１に記載のデンタルハンドピース。
【請求項９】
デンタルツールの連続回転を駆動するためのデンタルハンドピースであって、上記ハンドピースは、該ハンドピースの縦方向の孔で回転するために設置され、主要なシャフト及び共軸で、伝達できる最大トルクを制限するトルクリミッタ手段により連続して共に連結され、作業中に使用者がアクセス可能な、前記伝達できる最大トルクを調節するための手段を伴って提供された２次シャフトから構成されるドライブシャフトを含み、前記トルクリミッタ手段が、
−前記主要なシャフト及び２次シャフトからなるシャフトのペアの第一シャフトと共に回転することを強要される、共軸の環状の外部表面を有する雄型カップリング部分と、
−前記主要なシャフト及び前記２次シャフトからなるシャフトのペアの第二シャフトと共に回転することを強要される、前記雄型カップリング部分の前記共軸の環状の外部表面と重なる共軸の環状の内部表面を有する雌型カップリング部分と、
−前記雄型及び雌型カップリング部分からなるカップリング部分のペアの第一カップリング部分の前記共軸の環状表面に環状に分配される一連のカップリング孔と、
−前記雄型及び雌型カップリング部分からなるカップリング部分のペアの第二カップリング部分の横断経路で放射状にスライドするために設置されて、前記横断径路でガイドされ続ける間に前記カップリング孔に部分的に噛み合わせるために、前記雄型及び雌型カップリング部分を含むカップリング部分のペアの前記第１カップリング部分の前記共軸の環状表面へばね手段によってばね上げされる、平行な回転軸を伴う少なくとも一つのロータリーカップリングメンバーと、
作業中に使用者がアクセスできない、前記伝達できる最大トルクを調節するための手段と、を含み、
−前記雄型カップリング部分が前記主要なシャフトの末端によって構成され、
−前記雌型カップリング部分が、前記主要なシャフト及び前記２次シャフトの隣接する末端に重なるように設置されたカップリングリングであり、回転を防止する手段により前記２次シャフトに連結されて、
−前記主要なシャフトの末端は、カップリングボールをガイドするための横断径路を含み、
−前記主要なシャフトの末端は、前記横断径路が通じている軸孔を含み、
−ベアリング部分は、前記軸孔で軸方向にスライドするように設置され、前記カップリングボールを放射状に外へ促すために前記カップリングボールと接触するフラストコニカル部分を有し、
−圧縮ばねは、前記ベアリングメンバーと自身が機能的に前記軸孔のねじ山形状セクションに噛み合う調節ねじとの間で軸方向に噛み合い、
−前記カップリングリングは、前記２次シャフトの近位端にスライド可能で設置され、深さが縦軸方向で変化可能な、縦方向の溝の形態のカップリング孔を含み、
−前記カップリングリングは、自由に回転可能であり、使用者が直接的にアクセスできるように前記ハンドピース本体にスライド可能に設置された調節リングと共に軸方向に平行移動することを強要される、
ことを特徴とするデンタルハンドピース。
【請求項１０】
主要なハンドピース本体、ハンドピースの首及びハンドピースの頭を含み、前記トルクリミッタ手段が前記ハンドピースの首に含まれることを特徴とする請求項１に記載のデンタルハンドピース。
【発明の詳細な説明】
【０００１】
本発明の技術分野
本発明は、回転式の歯のツールが設置可能で、そのツールの軸に関する一方向の回転を駆動することができる、歯科医術で使用されるハンドピースに関する。
【０００２】
小さい回転式のツールは、口内で作業するために頻繁に使用され、例えば、傾斜を保つ細かい棒状若しくは口へ挿入する一般的な方向に垂直な形状で、根管に作用するための石目やすりである。かかる方法において、歯科医は、電子若しくは空気式のモータに機械的に連結されることができる、白鳥の首状のデンタルハンドピースが、一般的に使用されている。白鳥の首状のデンタルハンドピースは、ドライブモーターの回転軸を伴う主要な本体共同軸を有し、本体に、１５°乃至３０°の角度で首と呼ばれる部分が後続する縦方向の穴があり、さらに縦方向の穴がある、また、最後には、首に垂直か、若しくは実質上垂直で、首における縦方向の穴に通じる、横断する穴を含むヘッドと呼ばれる部分である。かかるヘッドは、分離してツールを固定するためのツールホルダーを含んでいる。
【０００３】
横断するツールキャリアーシャフトは、横断する穴での横断軸に関して回転するために設置され、ツールキャリアーシャフトに分離してツールを固定するためのツールホルダーを含んでいる。ドライブシャフトは、縦軸に関して回転するために縦方向の穴に設置されている。ドライブ・シャフトの端に据え付けられて、ツール・キャリアー・シャフト上で据え付けられたリングで噛み合う１ペアの小歯車のギアは、トルクをドライブシャフトとツールキャリアーシャフト間に伝達する。ドライブシャフトのもう一方の端は、一般的に変換可能な、モーターの手段による回転で駆動するための手段とペアになって提供される。モーターは、一般的に高速で回転し、、ツールに依存する、適切なより低い速度を伝えるための速度減衰器に関係している
かかる種類のデンタルハンドピースは、３００ｒｐｍの比較的遅い速度で一方方向の回転方向に駆動されるべき、ニッケル若しくはチタン合金から構成される、柔軟な石目やすりを伴って、現在、頻繁に使用され、根管のしばしば曲がった縦の輪郭に続くために十分に柔軟であるという長所を有する。
【０００４】
ツールは根管を掘り抜くか、若しくは根管の中で固定されるようになることがしばしば起こる。次いで、根管に対する損傷の危険性があり、より重要なことは、石目やすりの破損である。明らかに、非常に細い根管に固定された石目やすりの破損部分の除去は、困難な操作である。かかる破損部分の除去は、しばしば困難であり、したがって、根管の処置を完全にすることは不可能である。
【０００５】
ツールが歯の物質を掘り下げる場合に、ツールの破損の危険性を防御若しくは縮減するためには、トルクリミッタを伴って提供される電気的なドライブモーターの使用が提案される。この種類の解決法は、コストであり、一方で、歯科医がすでに獲得する存在するモーターに適合できないために、トルクリミッタ自身のコストがかかる。
【０００６】
出願書類ＤＥ  ２７２６３２５は、ハンドピースに運動を伝えるためにドライブ・モータの出力と柔軟なケーブルの間のクラッチを適合させることを提供し、ドライブシャフトは、ドライブシャフトの放射状チャネルでの移動が可能なカップリングボールに耐性があるプリズム状の外面を有する。エンドドンタルな（ｅｎｄｄｏｎｔａｌ）作業における使用のためのハンドピースを不安定にする伝達された最大のトルクは、通常は異なる直径、いわゆる、異なる許容可能な最大のトルクを有する数多のツールの採用を連続して必要とするため、調節できない。また、クラッチは、ツールからはるか遠くにあり、また、ハンドピースはハンドピース自身のツールに伝えられた許容可能な最大のトルクでは広範囲に従う。
【０００７】
出願書類ＵＳ５９２４８６４は、ハンドピースの本体内の調節可能なクラッチに組み込まれて提供される。クラッチは、互いに正面に影響する２枚の放射状のプレートを含んで、第一プレートはドライブシャフトにしっかりと固定され、第二プレートはドライブシャフトにしっかりと固定され、それらのプレートは、周辺のアジャスターリングの軸方向の移動によってその力が調節することができる軸圧縮ばねによってばね上げしてある。かかるプレートは、お互いに擦り合う接触面において不均一な面を有する。これは、サービス中のプレートの進歩的な摩耗に起因する。プレートは、口内に挿入できるくらいに必要な狭さであるハンドピースの首の位置から防御する、比較的大きな直径を有する。したがって、ツールから離れて、ハンドピースの本体にクラッチを位置する必要性がある。周辺のリングに巧妙に処理することによって伝達される最大トルクの調節は、歯科医に別の手を使用することを要求し、歯科医の第一の手は、口内にハンドピースを保つためにハンドピースの首に位置している。また、クラッチは、伝達が調節可能な最大限のトルクを伴い精度に影響する角度の二つの連続する変化を伴う機械的な伝達によってツールから分離されている。
【０００８】
発明の概要
本発明によって処理された問題はその全面的な体積を増加させずに、ハンドピース自体に組み入れられた、異なる機械的な方法、単純な方法及び安価な方法によって回転式の歯のツールのドライブ・トルクを自動的に限定することである、その結果すべての型のモータを使用することができ、また、特別のモータでは、それらが既にツールにトルク・リミタを有していない。
【０００９】
その発明は、さらに最大限度トルクが使用されるツールに一致することができ、ツールが最も効率的に使用したように、つまり、ツールが壊れる前に、わずかに許容可能な最大限度トルク以下であるように、ツールにハンドピースによって伝えられた最大限度トルクの満足な正確性及び再現性を保証することをむしろ目標とする。
【００１０】
実際に、最大限度のトルクの度合いはツールに依存する。また、現在使用される柔軟な石目やすりについては、この最大のトルクがおよそ０．３Ｎ．ｃｍからおよそ５Ｎ．ｃｍまである。
【００１１】
本発明の別の目的は、ツールの効率的な操作を保証することである。また、したがって、最大限度のトルクに関するハンドピースによってツールの規則的で効率的なポジティブな駆動は到達しない。
【００１２】
目標は組立てとアセンブリーのコストを縮小するためにできるだけ少数の構成部品で上記の機能を提供することである。
【００１３】
発明に従って、例えば、ツールにハンドピースによって伝えられた最大限界のトルクが調整可能であるに違いない。その結果、ハンドピースを使用する歯科医は、例えば、同じ歯内治療学の処理中に同じハンドピースの中で連続的に使用されるかもしれない、異なるツールに最大限度のトルクを一致させることができる。このように、ハンドピースは、それらの最良の条件の使用下における様々なツールを操作する。
【００１４】
別の手の使用を要求せず、かつ、ハンドピースの保持かポジショニングに邪魔をせずに、ハンドピースを保持する歯科医の手に調節方法は、むしろ、直接アクセス可能であるに違いない。
【００１５】
発明に従って、ツール・ドライブ・トルクは、むしろ例えば、根管からツールを抽出するために、歯科材料の削除のためにツールの作動する順方向だけでなく逆方向においても制限されている。その後、２つの許容可能な最大のトルク限界は回転方向に依存して異なることができる。より高い限界トルクは、ツールを抽出するための逆の回転方向においては受理可能で、より低い限界トルクはツールで作動するための前方の回転方向で受理可能である。
【００１６】
上記と他の目的を達成するために、本発明は、歯のツール（ハンドピースの縦方向の孔で回転するために据え付けられたドライブシャフトを含み、主要なシャフト及び共軸であり、伝達できる最大トルクを制限するためのトルクリミッタ手段によって共に一連として連結される２次シャフトから構成されるハンドピース）の連続的な回転を駆動するためのデンタルハンドピースを提供し、伝達できる最大トルクを調節するための手段を伴って提供され、トルクリミッタ手段は、下記を含んでいる：
−主要なシャフト及び二次シャフトを含むペアのシャフトの第１のシャフトで回転するように強要された雄型カップリング部分であり、共軸の環状の外部表面を有している、
−主要なシャフト及び二次シャフトを含むペアのシャフトの第２のシャフトで回転するように強要された雌型カップリング部分であり、雄型カップリング部分の共軸の環状の外部表面と重なる共軸の環状の内部表面を有している、
−雄型及び雌型カップリング部分を含む、ペアのカップリング部分の第１のカップリング部分の共軸の環状表面上に環状に分配された、一連のカップリング孔、
−雄型及び雌型カップリング部分を含むペアのカップリングする部分の第２のカップリング部分の横断径路で放射状にスライドするために設置された、並列の回転軸を備えた少なくとも１人のロータリー・カップリング・メンバーであり、そして横断径路でガイドされ続ける間にカップリングされる孔に部分的に噛み合うために、雄型及び雌型カップリング部分からなるペアのカップリング部分の第１のカップリング部分の共軸の環状表面へのばね方法によってばね上げしてある。
【００１７】
本発明によるデンタルハンドピースは、雄型及び雌型カップリング部分間のロータリーカップリングメンバーの放射状の力の平衡を保つために縦軸のまわりに規則的に分配されたそれぞれの横断径路を放射状にスライドするために据え付けられた少なくとも２つのロータリーカップリングメンバーをむしろ含んでいる。
【００１８】
接続するロータリーメンバーは、円筒状のローラー、樽型のローラー、若しくは、より簡素で有利な接続するボールである。
【００１９】
明らかに、接続するロータリーメンバーは、雌型接続する部分あるいは雄型接続する部分のそれぞれの横断径路の何れかで収容することができる。それはしかしながら、全面的なサイズを縮小し、かつ雌型カップリング部分の共軸の環状表面上に環状に分配される雄型カップリング部分及びカップリングする孔のそれぞれの横断径路で放射状にスライドするために設置されるロータリー・カップリング・メンバーのために、調節を促進するために特に有利であるかもしれない。
【００２０】
デンタルハンドピースの一つの実施態様は、ロータリーカップリングメンバーでばねをロードする、ばねの力を調節する手段を含んでいる。最初のオプションは、トルクリミッタ手段によって伝達できる、最大のトルクを調節するための手段を構成する調節手段のためにある。
【００２１】
ばね手段の力を調節するための手段が、工場でセットされる、歯科医がアクセスできない調節手段のみで構成される場合、許容可能な最大トルクの歯科医による意図的な調節のための異なる手段が供給されることはより有利である。
【００２２】
伝達できる最大トルクを調節するための他の手段を提供するために、デンタルハンドピースは、下記を有利に提供される：
−カップリング孔は、円弧形断面で、深度が縦方向で変化可能な縦の溝である、
−ユーザにアクセス可能な相対的な縦の位置調節手段は、雌型カップリング部分における雄型カップリング部分の相対的な縦方向の位置を調節するために提供され、
ロータリー・カップリング・メンバーが選ばれた相対的な縦方向の位置（それは伝達できる最大のトルクを決定する）の機能としてのカップリング孔のより深く若しくはより浅い部分に噛み合う。
【００２３】
最初のオプションは放射状の方向で適応される横断チャネルのためである。この事例において、伝達できる最大トルクは両者の回転方向と同一である。
【００２４】
横断径路は、好ましくは、放射方向に傾斜して適応されている。この事例において、伝達可能な最大トルクは、回転方向とは異なる。
【００２５】
ある実際的な実施態様において、本発明によるデンタルハンドピースは、
−雄型カップリング部分は主要なシャフトの末端である、
−雌型カップリング部分は、主要なシャフト及び２次シャフトの隣接末端に重なり設置されたカップリングリングであり、回転−防御手段によって２次シャフトに結合している、
−主要なシャフトの末端は、カップリングボールをガイドするための横断径路を含んでいる、
−主要なシャフトの末端は、横断径路に通じる軸孔を含んでいる、
−ベアリング部分は軸孔で軸方向にスライドするために設置され、また、ベアリング部分は、カップリングボールを放射状に外へ促すためにカップリングボールに接するフラストコニカル（ｆｒｕｓｔｏｃｏｎｉｃａｌ）部分を持っている、
−圧縮ばねは、軸孔のねじが通されるセクションに機能的に噛み合い、ベアリングメンバーと測定ねじ自体の間で軸方向に噛み合わせられる。
【００２６】
明らかに、接続するリングは主要なシャフト若しくは２次シャフトの何れかで回転するために強要できる。それにもかかわらず、二次シャフトで回転するように接続するリングを強要するのに望ましいかもしれない。この事例において、デンタルハンドピースは、下記のようである：
−カップリングリングは、２次シャフトの中心に近い方の端にスライドして設置され、縦方向に深さが変化する縦の溝の形態のカップリング孔を含んでいる、
−カップリングリングは自由に回転可能で、直接使用者にアクセス可能なためにハンドピース本体上でスライドできるように据え付けられ、調節リング自体で軸の歯体移動の中で移動するように強要される。
【００２７】
伝達システムの末端における、ハンドピース自体での位置に感謝して、本発明と一致する機械的クラッチは、比較的ゆっくり移動する構成部分（それはしたがって比較的高いトルクにさらされる）上で作動する。限界トルク若しくはクラッチ・リリース・トルクの正確性及び再現性は、したがってより容易に得られる。また、摩擦及び効率の損失は、クラッチとツール間の伝達システムの部分において最小限にされる。その結果、ツールに適用された最大のトルクの値はクラッチ・リリース・トルクに接近しており、下流の機械的伝達によって影響されない。
【００２８】
思考の同じラインで、限界トルク若しくはクラッチ・リリース・トルクの正確性及び再現性をさらに改善する、デンタルハンドピースは、主要なハンドピース本体、ハンドピースの首及びハンドピースの頭を含み有利に提供することができ、また、トルクリミッタ手段はハンドピース自体の首に収容され、つまり、できるだけツールに接近している。これは、伝達することができる最大トルクを調節する本発明に従って、特別な手段の小さい長さによって可能になる。
【００２９】
本発明の他の目的、特質及び利点は、添付の図を参照して詳細な実施態様の下記の記載から明らかになるであろう。
【００３０】
好ましい実施態様の詳細な記載
図で示されたすべての実施態様において、本発明のデンタルハンドピースは、ハンドピースにしっかりと固定しているハンドピースの頭３０の横方向の孔３とつながっている、縦軸方向の孔２があるハンドピースの首１を含んでいる。横方向のツール−キャリアシャフト４は、横軸ＩＩ−ＩＩに関して回転するハンドピースの頭３０の横方向の孔３に設置され、ツールをツール−キャリアシャフト４に分離して固定するためのツール−ホルダーを含んでいる。
【００３１】
ドライブシャフト５は、縦軸Ｉ−Ｉに関して回転する縦方向の孔２に設置されている。ドライブシャフト５は、主要なシャフト５０及び共軸であり、伝達可能な最大トルクを限定するための手段５２によって共に一続きで連結された２次シャフトから構成される。２次シャフト５１は、ベアリング１０によってガイドされ、シャフトの末端で、ツールの近くの、ツール−キャリアシャフト４上の周辺歯７と関連するギア６を有する。主要なシャフト５０の末端近くと２次シャフト５１間は、機械的なトルクの伝達を制限するための機械的なカップリング手段５２で、これらはツールキャリアーシャフト４によって保持されたツールに適用された、抵抗するトルクが、特別のトルク閾値を超過する場合、クラッチリリース結果を引き起こす。
【００３２】
図に示されている実施態様において、２次シャフト５１は、別の位置において、例えば、ピン５３の末端（図９を参照）である、中心に近い突出する部分は、リング９（さらに、それは縦にスライドができる）による二次シャフト５１の回転の正の駆動のためのスライドするカップリングリング９のスロット８ａ及び８ｂとと協同するために適合した。かかる２次シャフト５１及び２次シャフトのガイド手段は、図９で分離して示されている駆動サブアセンブリＡを形成する。
【００３３】
主要なシャフト５０はまた、ベアリング１１の縦方向の孔２に設置され、縦軸Ｉ−Ｉに関して回転する。図の中で示されないが、この主要なシャフト５０は、その中心に近い方の端の反対で、ハンドピースの本体の伝達システムの末端にドライブ・ギヤーと協同するためのギヤー１２が適応されたツールを持っている。この主要なシャフト５０は、その反対の末端で、直径の反対側で、その各々のカップリング・ボール１５ａ若しくは１５ｂを受け取るために適応される２つの横断径路１４ａ及び１４ｂを持っている。図４に示されているように、この横断径路１４ａ及び１４ｂは、回転方向による異なるクラッチリリース閾値を提供するために、有利的に放射線状の方向に対して傾斜している。この主要なシャフト５０の末端はさらに、横断径路１４ａ及び１４ｂに通じて、圧縮されたコイルばね１７及びそれぞれの横断径路１４ａ及び１４ｂへ放射線状に外に押し出すカップリングボール１５ａ及び１５ｂで耐えるために適合されたフラストコニカル部分１９を有するベアリングメンバー１８を受け取るために適合された、軸孔１６を含んでいる。この主要なシャフト５０はさらに、ねじ山形状部分を有し、ワッシャー２２を介してばね１７に耐える計測ネジ２１を受け取るために適合された軸孔２０を含んでいる。構成物のかかるアセンブリは、図３に分離して示されている駆動サブアセンブリを形成する。
【００３４】
歯体移動が可能なスライドするカップリングリング９は、主要なシャフト５０及び２次シャフト５１間の２次シャフト５１に設置されている。かかるスライドするカップリングリング９はまた、円弧形断面の二つの直径の反対で縦の内部溝２３ａ及び２３ｂを含み、縦方向で深さが変化する。かかる二つの縦の溝２３ａ及び２３ｂは、カップリング孔を構成し、主要なシャフト５０からの２次シャフト５１の回転を駆動するためのカップリングボール１５ａ及び１５ｂと協働するために適合している。かかる縦の内部の溝２３ａ及び２３ｂは、直径が等しいか、若しくはわずかにカップリング孔１５ａ及び１５ｂの直径よりも大きい、二つの集中する円筒状の穴によってくり貫くことにより有利的に形成される。スライドするカップリングリング９の中央の孔より以前に、かかる二つの孔はくり貫かれる。かかるスライドするカップリングリング９はさらに、外側の溝２４を含む。
【００３５】
実施態様に示されているように、雄型カップリング部分は、主要なシャフトの共軸の環状の外側表面１５０（図２及び３を参照）を伴う主要なシャフト５０の末端から構成される。雌型カップリング部分は、２次シャフト５１で回転するために強要されるカップリングリング９から構成される。雌型カップリング部分の表面１５１内部の共軸の環状は、主要なシャフト５０（図６乃至８を参照）から構成される雄型カップリング部分の共軸の環状の外側表面１５０と重なっている。孔２３ａ及び２３ｂは、カップリングリング９の共軸の環状の内部表面１５１上に分配している。
【００３６】
軸に添ってスライドできる調節リング２５は、ハンドピースの首１に設置され、使用者が直接アクセス可能である。調節リング２５は、内部突起物２６を有し、内部突起物２６は、ハンドピースの首１の縦方向のスロット２７を通過し、スライドするカップリングリング９を軸方向に平行移動させるために溝２４に噛み合わされると同時にカップリングリング９が２次シャフト５１と共に自由に回転できるようにする。
【００３７】
使用において、二次シャフト５１に対するツールによって適用された、抵抗するトルクが、最大に許容された閾値よりも大きいか、若しくは等しい場合、カップリングボール１５ａ、１５ｂは、ばね１７の作用に対して共にカップリングボールを接近させて移動する傾向があるカップリングリング９の内部溝２３ａによる反応力にさらされる。次いで、ボール１５ａ、１５ｂは解放され、内部溝２３ａ及び２３ｂから出て、お互いに相対する、主要なシャフト５０及び２次シャフト５１の自由な回転を可能にする。次いで、ボール１５ａ及び１５ｂは、別の内部溝２３ｂ及び２３ａにそれぞれ到達して、クリッキング音を合成し、トルクが十分に高い場合には脱出できる。これは、伝達されたトルクを制限し、ツール−キャリアシャフトに噛み合わせているツールの破損を防ぐクラッチリリース効果を合成する。
【００３８】
調節リング２５は、カップリングボール１５ａ、１５ｂが縦方向の２３ａ及び２３ｂの部分に深く若しくはより浅く噛み合うために、縦方向にカップリングリング９を移動し、伝達できる最大トルクの閾値を変化する。縦方向の溝２３ａ及び２３ｂの部分がより深くなるにつれ、距離が短くなり、カップリングボール１５ａ若しくは１５ｂは駆動トルクを与える軸Ｉ−Ｉに向かって押され、このようにしてトルクの値を獲得する従来のクラッチリリースである最大に許容されたトルクの値はより高くなる。
【００３９】
操作モード：
使用者は、ツールを、以前にドライブモーターに接続していたハンドピースの頭３０に置く。
【００４０】
ツールのタイプの機能として、使用者は、調節リング２５を所望の縦方向に移動し、そこで伝達可能な最大トルクを調節する。
【００４１】
使用者は、ドライブモーターを通常の方向で開始し、処理を実行する。もしも、ツールのトルクに対する妨害が事前にセットした伝達可能な最大トルクよりも大きい場合は、ツールは自動的に停止して、使用者は、カップリングリング９の縦方向の内部溝２３ａ及び２３ｂへの連続したボール１５ａ及び１５ｂの通過に対応するクリック音のために気がつく。
【００４２】
もしも、使用者がツールを処理するエリアから単に軸方向に引き抜く場合は、ツールは自動的に再起動して、使用者は処置を続けることができる。
【００４３】
もしも、ツールの引き抜きが不可能な場合は、例えば、非常に妨害されている場合などには、使用者はドライブモーターの回転方向を反対にして、ツールを引き抜くことができる。これは、反対方向に駆動されるより高いトルクで、根管からのツールの解放する。
【００４４】
本発明は明示的に記述された実施態様に制限されていないが、請求項の範囲内における変形及び一般化を包含する。
【００４５】
【図面の簡単な説明】
【図１】  本発明によるハンドピースの一つの実施態様の縦方向の断面図である。
【図２】  図１のハンドピースの各部の関連を示す遠近を示す概観図である。
【図３】  駆動サブアセンブリの縦方向の断面図である。
【図４】  図５の線ＢＢに添って切られた断面図である。
【図５】  主要なシャフトの外面図である。
【図６】  図７では右側について言及している、スライドするカップリングリングの外面図である。
【図７】  半分が断面で、半分が外面の、スライドするカップリングリングの図である。
【図８】  スライドするカップリングリングの遠近図である。
【図９】  駆動サブアセンブリの遠近図である。
【図１０】  調節リングの遠近図である
【図１】
0004376482.tif 000002
【図２】
0004376482.tif 000003
【図３】
0004376482.tif 000004
【図４】
0004376482.tif 000005
【図５】
0004376482.tif 000006
【図６】
0004376482.tif 000007
【図７】
0004376482.tif 000008
【図８】
0004376482.tif 000009
【図９】
0004376482.tif 000010
【図１０】
0004376482.tif 000011